(57)【要約】【課題】  大きさの相当異なる植木鉢やボウルプランタでも載置面から浮かして体裁よく支持することができて汎用性に富み、別途の受け皿が不要で経済的で便利なボウルスタンドを提供する。【解決手段】  筒状の周壁３と、周壁３の上部にあって周壁３の上端開口を閉塞する受け皿４とを備え、前記周壁３と前記受け皿４とが硬質合成樹脂により一体に形成され、前記受け皿４は、底壁部７と底壁部７の外周部から起立した環状の側壁部８とを一体に有している。また、周壁３の上下方向の中途部に複数の開口窓１２が形成され、周壁３の下部には、没入凹部１７が複数形成されている。【選択図】図１
2017086000.tif 000002
【特許請求の範囲】
【請求項１】
筒状の周壁（３）と、周壁（３）の上部にあって周壁（３）の上端開口を閉塞する受け皿（４）とを備え、前記周壁（３）と前記受け皿（４）とが硬質合成樹脂により一体に形成され、前記受け皿（４）は、底壁部（７）と底壁部（７）の外周部から起立した環状の側壁部（８）とを一体に有していることを特徴とするボウルスタンド。
【請求項２】
前記周壁（３）の上下方向の中途部に開口窓（１２）が周方向に間隔をおいて複数形成され、
前記周壁（３）の下部には、下端から上方に向けて没入した没入凹部（１７）が周方向に間隔をおいて複数形成され、その没入凹部（１７）間が載置面に載置される脚部（１８）とされていることを特徴とする請求項１に記載のボウルスタンド。
【請求項３】
前記周壁（３）の開口窓（１２）の周囲は、平坦面状に形成された窓囲繞壁部（１３）とされ、隣り合う窓囲繞壁部（１３）は、外側に向けて山折り状に折曲した折曲部を介して連結されていることを特徴とする請求項２に記載のボウルスタンド。
【請求項４】
前記周壁（３）の没入凹部（１７）の周囲は、平坦面状に形成された凹部囲繞壁部（２０）とされ、
前記脚部（１８）の周方向の両側はそれぞれ隣りの凹部囲繞壁部（２０）に連続する平坦壁部とされており、各脚部（１８）は周方向に複数の平坦壁部を有し、隣り合う平坦壁部同士が外側に向けて山折り状に折曲した折曲部を介して連結されていることを特徴とする請求項２又は３に記載のボウルスタンド。
【請求項５】
前記各没入凹部（１７）は、その上側の各開口窓（１２）に上下に対応して配置されており、上下に対応する窓囲繞壁部（１３）と凹部囲繞壁部（２０）とが連続した面一の平坦面状に形成されていることを特徴とする請求項４に記載のボウルスタンド。
【請求項６】
前記各没入凹部（１７）は、その上側の開口窓（１２）間に上下に対応して配置され、凹部囲繞壁部（２０）とその上側の窓囲繞壁部（１３）とは、互いに角度を有しており、外側に向けて山折り状に折曲した折曲部を介して互いに連結されていることを特徴とする請求項４に記載のボウルスタンド。
【請求項７】
前記開口窓（１２）は、上下に複数段形成されており、上側の開口窓（１２）は下側の開口窓（１２）間に対応して配置され、上側の開口窓（１２）の窓囲繞壁部（１３）と下側の開口窓（１２）の窓囲繞壁部（１３）とは互いに角度を有しており、外方に向けて山折り状に折曲した折曲部を介して互いに連結されていることを特徴とする請求項３に記載のボウルスタンド。
【発明の詳細な説明】
【技術分野】
【０００１】
本発明は、植木鉢やボウルプランタを支持するためのボウルスタンドに関するものである。
【背景技術】
【０００２】
湿気が溜まり、カビが生えたり腐ったりすることがないように、植木鉢やボウルプランタをベランダや床等の載置面から浮かして支持するようにしたボウルスタンドには、ワイヤーや金属杆により支持脚を形成し、支持脚の上部に環状係止部材を設け、この環状係止部材に植木鉢やボウルプランタの胴部の中途部を内嵌保持するようにしたものがある（例えば特許文献１）。
【０００３】
また、ワイヤーや金属杆により支持脚を形成し、上部に環状係止部材を設けると共に、下部に鉢受け台を設け、鉢受け台上に別途の受け皿を載置し、環状係止部材で植木鉢やボウルプランタの胴部の中途部を内嵌保持すると共に、植木鉢やボウルプランタの下部を受け皿に載せるようにしたものがある（例えば特許文献２）。
【先行技術文献】
【特許文献】
【０００４】
【特許文献１】実用新案登録第３００４１９０号公報
【特許文献２】実開平６−４１５６６号公報
【発明の概要】
【発明が解決しようとする課題】
【０００５】
しかし、前者の従来の場合、ボウルスタンドに支持した植木鉢やボウルプランタから水がこぼれ落ちて、設置したベランダや床等の載置面を汚すという問題があった。また、後者の従来の場合は、受け皿を別途用意する必要があり、面倒で不経済になるという問題があった。
さらに、従来の場合、植木鉢等の上方に向けて徐々に大きくなったいわゆるテーパー状の胴部の傾斜角度が小さい場合には、環状係止部材の植木鉢等に対する内嵌保持の状態が悪くなり、植木鉢等が上下方向に対して傾斜し、体裁が悪くなる場合もあった。また、支持する植木鉢等の大きさが環状係止部材の大きさで特定されてしまい、ボウルスタンドで支持される植木鉢やボウルプランタの大きさの幅が狭くなり、汎用性に欠けるという問題があった。
【０００６】
本発明は上記問題点に鑑み、大きさの相当異なる植木鉢やボウルプランタでも載置面から浮かして体裁よく支持することができて汎用性に富み、別途の受け皿が不要で経済的で便利なボウルスタンドを提供することを目的としている。
【課題を解決するための手段】
【０００７】
本発明における課題解決のための具体的手段は、次の通りである。
この技術的課題を解決する本発明の技術的手段は、筒状の周壁３と、周壁３の上部にあって周壁３の上端開口を閉塞する受け皿４とを備え、前記周壁３と前記受け皿４とが硬質合成樹脂により一体に形成され、前記受け皿４は、底壁部７と底壁部７の外周部から起立した環状の側壁部８とを一体に有している点にある。
【０００８】
また、本発明の他の技術的手段は、前記周壁３の上下方向の中途部に開口窓１２が周方向に間隔をおいて複数形成され、前記周壁３の下部には、下端から上方に向けて没入した没入凹部１７が周方向に間隔をおいて複数形成され、その没入凹部１７間が載置面に載置される脚部１８とされている点にある。
また、本発明の他の技術的手段は、前記周壁３の開口窓１２の周囲は、平坦面状に形成された窓囲繞壁部１３とされ、隣り合う窓囲繞壁部１３は、外側に向けて山折り状に折曲した折曲部を介して連結されている点にある。
【０００９】
また、本発明の他の技術的手段は、前記周壁３の没入凹部１７の周囲は、平坦面状に形成された凹部囲繞壁部２０とされ、前記脚部１８の周方向の両側はそれぞれ隣りの凹部囲繞壁部２０に連続する平坦壁部とされており、各脚部１８は周方向に複数の平坦壁部を有し、隣り合う平坦壁部同士が外側に向けて山折り状に折曲した折曲部を介して連結されている点にある。
【００１０】
また、本発明の他の技術的手段は、前記各没入凹部１７は、その上側の各開口窓１２に上下に対応して配置されており、上下に対応する窓囲繞壁部１３と凹部囲繞壁部２０とが連続した面一の平坦面状に形成されている点にある。
また、本発明の他の技術的手段は、前記各没入凹部１７は、その上側の開口窓１２間に上下に対応して配置され、凹部囲繞壁部２０とその上側の窓囲繞壁部１３とは、互いに角度を有しており、外側に向けて山折り状に折曲した折曲部を介して互いに連結されている点にある。
【００１１】
また、本発明の他の技術的手段は、前記開口窓１２は、上下に複数段形成されており、上側の開口窓１２は下側の開口窓１２間に対応して配置され、上側の開口窓１２の窓囲繞壁部１３と下側の開口窓１２の窓囲繞壁部１３とは互いに角度を有しており、外方に向けて山折り状に折曲した折曲部を介して互いに連結されている点にある。
【発明の効果】
【００１２】
本発明によれば、周壁と受け皿とが硬質合成樹脂により一体に形成されているので、植木鉢やボウルプランタを設置する場合、ボウルスタンドをその周壁の下部を介して玄関やベランダや床等の載置面に載置し、その受け皿に植木鉢やボウルプランタの底部を載置すればよく、植木鉢やボウルプランタを上下方向に対して傾斜することなくボウルスタンドの受け皿上に載せてベランダ等に安定かつ体裁よく載置することができ、植木鉢やボウルプランタをベランダ等の載置面から浮かして支持できる。
【００１３】
従って、植木鉢から水が漏れてもその水は受け皿に受けられ、玄関やベランダや床等の載置面を水で濡らさずに済むし、泥水等の跳ね返りを低減できる。また、水やり時の泥や肥料成分などの流出を防いで、載置面を汚すことがなくなる。
また、ボウルスタンドで支持する植木鉢等はその底部が受け皿よりも小さければ支持可能であり、大きさの相当異なる植木鉢等でも体裁よく支持することができて汎用性に富むし、別途の受け皿が不要になり、経済的でかつ便利になる。
【図面の簡単な説明】
【００１４】
【図１】本発明の第１実施形態を示すボウルスタンドの斜視図である。
【図２】同ボウルスタンドの正面図である。
【図３】同ボウルスタンドの平面図である。
【図４】同ボウルスタンドの背面図である。
【図５】同ボウルスタンドの左側面図である。
【図６】同ボウルスタンドの右側面図である。
【図７】同ボウルスタンドの底面図である。
【図８】図３のＡ−Ａ線断面図である。
【図９】図３のＢ−Ｂ線端面図である。
【図１０】図２のＣ−Ｃ線端面図である。
【図１１】使用状態のボウルスタンドの斜視図である。
【図１２】第２実施形態を示すボウルスタンドの斜視図である。
【図１３】同ボウルスタンドの正面図である。
【図１４】同ボウルスタンドの平面図である。
【図１５】同ボウルスタンドの背面図である。
【図１６】同ボウルスタンドの左側面図である。
【図１７】同ボウルスタンドの右側面図である。
【図１８】同ボウルスタンドの底面図である。
【図１９】図１４のＤ−Ｄ線断面図である。
【図２０】同１４のＥ−Ｅ線端面図である。
【図２１】使用状態のボウルスタンドの斜視図である。
【発明を実施するための形態】
【００１５】
以下、本発明の実施の形態を図面に基づいて説明する。
図１〜図１１は本発明の第１実施形態を示している。図１〜図１１において、ボウルスタンド１（鉢植台）は、円筒状の周壁３と、周壁３の上部にあって周壁３の上端開口を閉塞する受け皿４とを備え、周壁３と受け皿４とがポリプロピレン等の硬質合成樹脂により一体に形成されている。周壁３は下端から上端に向けて徐々に小径になる円筒形状に形成され、受け皿４は円形に形成されている。
【００１６】
ボウルスタンド１は、例えばその上面（受け皿４の大きさ）が直径２１０ｍｍ程度、底面が直径３００ｍｍ程度、高さが２１５ｍｍ程度に設定され、奥行き３００ｍｍの階段スペースにも載置可能になっている。耐荷重は陶器鉢にも対応できるように約１５キロ程度になっている。
前記受け皿４は、底壁部７と底壁部７の外周部から起立した環状の側壁部８とを一体に有し、底壁部７は孔や開口のない円板状に形成されている。周壁３の上部は、上方に向けて徐々に細くなった円筒状の上筒状部１０とされ、上筒状部１０が側壁部８の外周を取り囲みその上端部が側壁部８の上端部に一体に連結されていて、受け皿４の側壁部８と上筒状部１０とは逆Ｖ字状又は逆Ｕ字状に折曲されている。なお、図示省略しているが、上筒状部１０の外面には花柄や草木等の凹凸模様が全周にわたって一体に形成されている。
【００１７】
周壁３の上下方向の中途部に開口窓１２が周方向に全周に亘って等間隔をおいて複数（図例では９個）形成されている。
前記開口窓１２は上下に２段形成されており、上段の開口窓１２は逆三角形状に形成され、下段の開口窓１２は、上段の開口窓１２とは上下が逆さまになった三角形状に形成され、全ての開口窓１２は同一の大きさに設定され、上段の開口窓１２は下段の開口窓１２間に対応して配置され、下段の開口窓１２は上段の開口窓１２間に対応して配置されている。
【００１８】
前記周壁３の開口窓１２の周囲は、平坦面状に形成された窓囲繞壁部１３とされている。周方向の窓囲繞壁部１３は、平面視で４０度の角度で全周に亘って順次折曲しており、周方向に隣り合う窓囲繞壁部１３同士は、平面視で外側に向けて１４０度の角度で互いに傾斜していて、外側に向けて山折り状に折曲した第１折曲部１５ａを介して互いに連結されている。なお、第１折曲部１５ａには、上段の開口窓１２に対応する上側の第１折曲部１５ａと、下段の開口窓１２に対応する下側の第１折曲部１５ａとがある。
【００１９】
上段の開口窓１２の窓囲繞壁部１３と下段の開口窓１２の窓囲繞壁部１３とは、上下に対向する側が上下に噛み合った状態になって周方向に並んでいる。上下に隣り合う上段の開口窓１２の窓囲繞壁部１３と下段の開口窓１２の窓囲繞壁部１３とは、平面視で外側に向けて１６０度の角度で互いに傾斜していて、外方に向けて山折り状に折曲した第２折曲部１５ｂを介して互いに連結されている。
【００２０】
上段の開口窓１２の各窓囲繞壁部１３の上部は前記上筒状部１０の下部に径方向外方に向けて折曲した上折曲部１５ｅを介して全周に亘って連続状に連結されている。
前記周壁３の下部には、下端から上方に向けて円弧状に没入した没入凹部１７が周方向に全周に亘って等間隔をおいて複数（図例では９個）形成され、その没入凹部１７間が載置面に載置される脚部１８とされている。脚部１８も没入凹部１７と同様に周方向に全周に亘って等間隔をおいて複数（図例では９個）形成されている。
【００２１】
前記周壁３の没入凹部１７の周囲は、平坦面状に形成された凹部囲繞壁部２０とされ、周方向に隣り合う凹部囲繞壁部２０同士は、平面視で１４０度の角度で互いに傾斜しており、外側に向けて山折り状に折曲した第３折曲部１５ｃを介して連結されている。
脚部１８の周方向の両側はそれぞれ隣りの凹部囲繞壁部２０に連続する平坦壁部１８ａ，１８ａとされており、各脚部１８は周方向に２つの平坦壁部１８ａ，１８ａを有し、隣り合う平坦壁部１８ａ，１８ａ同士は、平面視で１４０度の角度で互いに傾斜しており、外側に向けて山折り状に折曲した第４折曲部１５ｄを介して連結されている。
【００２２】
前記各没入凹部１７は、その上側の各開口窓１２（下段の開口窓１２）に上下に対応して配置されており、上下に対応する窓囲繞壁部１３と凹部囲繞壁部２０とが連続した面一の平坦面状に形成されている。
第１折曲部１５ａは略上下方向に向いており、各第１折曲部１５ａはその下側又は上側が２股状に分かれて周方向に隣り合う２つの第２折曲部１５ｂに連結され、第２折曲部１５ｂは上下方向に対して周方向の一方側と他方側とに交互に傾斜し、第３折曲部１５ｃは略上下方向に向いており、下側の第１折曲部１５ａに連結され、第４折曲部１５ｄは略上下方向に向いており、第３折曲部１５ｃに連結されている。而して、第１折曲部１５ａ〜第４折曲部１５ｄの折曲部は筋交い構造になっていて周壁３を頑丈に形成している。
【００２３】
前記第１実施形態によれば、植木鉢やボウルプランタを設置する場合、ボウルスタンド１を脚部１８を介して玄関やベランダや床等の載置面に載置し、図１１に示すように、その受け皿４上に植木鉢やボウルプランタの底部を載置すればよく、植木鉢やボウルプランタを上下方向に対して傾斜することなくボウルスタンド１の受け皿４上に載せてベランダ等に安定かつ体裁よく載置することができ、植木鉢やボウルプランタをベランダ等の載置面から浮かして支持できる。
【００２４】
従って、植木鉢等から水が漏れてもその水は受け皿４に受けられ、玄関やベランダや床等の載置面を水で濡らさずに済むし、泥水等の跳ね返りを低減できる。また、水やり時の泥や肥料成分などの流出を防いで、載置面を汚すことがなくなる。
また、ボウルスタンド１で支持する植木鉢等はその底部が受け皿４よりも小さければ支持可能であり、大きさの相当異なる植木鉢等でも体裁よく支持することができて汎用性に富む。また、別途の受け皿が不要になり、従来のようにワイヤー製のボウルスタンドと受け皿とを使用するよりも安価に提供することができて、経済的でかつ便利になる。
【００２５】
また、植木鉢等を載置面から浮かすことができるため、ナメクジ対策や害虫対策になるし、従来のようなワイヤー製のスタンドのように錆による汚れも発生しない。
また、前記実施形態では、周壁３の上下方向の中途部に開口窓１２が周方向に間隔をおいて複数形成され、前記周壁３の下部には、没入凹部１７が周方向に間隔をおいて複数形成されているので、開口窓１２及び没入凹部１７によってボウルスタンド１内への空気の流通がよくなり、熱がこもるのを防止することができ、夏期に使用する場合には、植木鉢やボウルプランタ内の温度が４０度〜５０度にもなるが、この温度上昇を空気の流通により抑制することができる。また、開口窓１２及び没入凹部１７の形成によって構成材料を低減して、軽量で安価に製造することができるようになる。
【００２６】
また、周壁３の下部の各没入凹部１７間に脚部１８があるため、載置面に多数の凸部があっても、没入凹部１７で載置面の凸部を避けて、複数の脚部１８で安定に載置することができるし、また、ボウルスタンド１内の載置面上に侵入したゴミ等を没入凹部１７から排除することが可能になり、便利である。
また、周壁３の開口窓１２の周囲は、平坦面状に形成された窓囲繞壁部１３とされ、周方向に隣り合う窓囲繞壁部１３は、外側に向けて山折り状に折曲した第１折曲部１５ａを介して連結されているので、周壁３の中途部は平面視で多角形の筒状になり、単に円筒状のものに比べて周壁３を頑丈で耐荷重を大きくすることができる。
【００２７】
また、上段の開口窓１２の窓囲繞壁部１３と下段の開口窓１２の窓囲繞壁部１３とは、平面視で周方向に互いにずれた多角形の筒状になり、これらが外側に向けて山折り状に折曲した第２折曲部１５ｂで連結されるため、上段の窓囲繞壁部１３と下段の窓囲繞壁部１３との連結によっても、筋交い構造により周壁３の強度を増大させることができるし、周壁３の外面に多数の窓囲繞壁部１３による凹凸を形成でき、より一層頑丈で外観上美麗になすことができ、高級感を持たせることもできる。
【００２８】
また、周壁３の没入凹部１７の周囲は、平坦面状に形成された凹部囲繞壁部２０とされ、隣り合う凹部囲繞壁部２０同士が外側に向けて山折り状に折曲した第３折曲部１５ｃを介して連結され、脚部１８の隣り合う平坦壁部１８ａ，１８ａ同士も外側に向けて山折り状に折曲した第４折曲部１５ｄを介して連結されているので、周壁３の下部も頑丈になし得るし、周壁３の下部にも周方向に連続する凹部囲繞壁部２０による凹凸を形成することができて、外観を美麗に形成できる。また、没入凹部１７間の各脚部１８を平面視で外方に向けくの字状に折曲した頑丈なものになすことができる。
【００２９】
また、各没入凹部１７は、その上側の各開口窓１２に上下に対応して配置されており、上下に対応する窓囲繞壁部１３と凹部囲繞壁部２０とが連続した面一の平坦面状に形成されているので、周壁３全体を筋交い構造によって強度を増大できるし、開口窓１２のある周壁３の中途部と没入凹部１７及び脚部１８のある周壁３の下部とに連続した凹凸を形成して、周壁３全体を統一のとれた美麗なものにすることができる。
【００３０】
図１２〜図２１は第２実施形態を示している。図１２〜図２１において、ボウルスタンド１は、前記第１実施形態のボウルスタンド１の周壁３の下半部で周壁３全体を構成し、その上部に受け皿４を一体に形成した構成であり、受け皿４の径は前記第１実施形態の受け皿４よりもやや大きく、例えばその上面（受け皿４の大きさ）が直径２４０ｍｍ程度、底面が直径３００ｍｍ程度、高さが１２５ｍｍ程度に設定され、奥行き３００ｍｍの階段スペースにも載置可能になっている。耐荷重は陶器鉢にも対応できるように約２０キロ程度になっている。
【００３１】
而して、ボウルスタンド１は、第１実施形態の場合に比べて低く形成され、周壁３の上下方向の中途部に開口窓１２が上下に１段のみ形成されている。各開口窓１２は逆三角形状に形成されている。
開口窓１２の周囲の窓囲繞壁部１３は、平面視で４０度の角度で全周に亘って順次折曲しており、周方向に隣り合う窓囲繞壁部１３同士は、平面視で外側に向けて１４０度の角度で互いに傾斜していて、外側に向けて山折り状に折曲した第１折曲部１５ａを介して互いに連結されている。
【００３２】
周壁３の下部に形成された各没入凹部１７は、その上側の開口窓１２間に上下に対応して配置され、各窓囲繞壁部１３と凹部囲繞壁部２０とは、上下に対向する側が上下に噛み合った状態になって順次周方向に並んでいる。没入凹部１７の周囲に形成された凹部囲繞壁部２０とその上側の窓囲繞壁部１３とは、平面視で互いに１６０度の角度を有しており、外側に向けて山折り状に折曲した第３折曲部１５ｃを介して互いに連結されている。
【００３３】
没入凹部１７間に形成された複数（９個）の脚部１８は、周方向の両側に位置する一対の外平坦壁部１８ａ，１８ａと、外平坦壁部１８ａ，１８ａ間に位置する中間平坦壁部１８ｂとの３つの平坦壁部１８ａ，１８ａ，１８ｂを有し、各脚部１８の外平坦壁部１８ａ，１８ａと中間平坦壁部１８ｂとは平面視で２０度の角度で順次折曲しており、隣り合う外平坦壁部１８ａ，１８ａと中間平坦壁部１８ｂとは、平面視で１６０度の角度で互いに傾斜し、外側に向けて山折り状に折曲した第４折曲部１５ｄを介して連結されている。その他の点は前記第１実施形態の場合と同様の構成である。
【００３４】
前記第２実施形態によれば、前記第１実施形態の場合と同様に、植木鉢やボウルプランタをボウルスタンド１上に載せて載置面から浮かしてベランダ等に安定に載置することができ、しかも、玄関やベランダや床等の載置面を植木鉢からの水で濡らさずに済む。また、大きさの相当異なる植木鉢等でも幅広く支持することができて汎用性に富むし、別途の受け皿４が不要になる。また、周壁３を筋交い構造によって頑丈になし得るし、外観上美麗になすことができ、高級感を持たせることもできる。
【００３５】
なお、前記実施形態では、ボウルスタンド１、周壁３乃至受け皿４は円筒状に形成されているが、これに代え、ボウルスタンド１、周壁３又は受け皿４を角筒状に形成するようにしてもよい。また、ボウルスタンド１の大きさや形状は実施形態のものに限定されず、周壁３に開口窓１２を３段以上形成するようにしてもよい。また、開口窓１２を省略するようにしてもよい。
【００３６】
また、前記実施形態では、周壁３の下部に没入凹部１７が周方向に間隔をおいて複数形成され、その没入凹部１７間が被載置部に載置される脚部１８とされているが、これに代え、没入凹部１７を省略し、ボウルスタンド１を周壁３の下部の周方向全体で載置面に載置するようにしてもよい。
【符号の説明】
【００３７】
１      ボウルスタンド
３      周壁
４      受け皿
７      底壁部
８      側壁部
１２    開口窓
１３    窓囲繞壁部
１５ａ  第１折曲部
１５ｂ  第２折曲部
１５ｃ  第３折曲部
１５ｄ  第４折曲部
１７    没入凹部
１８    脚部
１８ａ  平坦壁部
１８ｂ  平坦壁部
２０    凹部囲繞壁部
【図１】
2017086000.tif 000003
【図２】
2017086000.tif 000004
【図３】
2017086000.tif 000005
【図４】
2017086000.tif 000006
【図５】
2017086000.tif 000007
【図６】
2017086000.tif 000008
【図７】
2017086000.tif 000009
【図８】
2017086000.tif 000010
【図９】
2017086000.tif 000011
【図１０】
2017086000.tif 000012
【図１１】
2017086000.tif 000013
【図１２】
2017086000.tif 000014
【図１３】
2017086000.tif 000015
【図１４】
2017086000.tif 000016
【図１５】
2017086000.tif 000017
【図１６】
2017086000.tif 000018
【図１７】
2017086000.tif 000019
【図１８】
2017086000.tif 000020
【図１９】
2017086000.tif 000021
【図２０】
2017086000.tif 000022
【図２１】
2017086000.tif 000023